(57)【要約】      （修正有）【課題】一方の端部を把持しても、また他の端部を把持しても、一旦把持した端部を他の端部に把持し直すこと無く、使い易いゼムクリップを提供する。【解決手段】線材Ｍを所定の長さの直線部と湾曲部が連続して形成されるように平面状に折り曲げて、略矩形の形状を形成する端部１ＭＯ側に湾曲部１Ａを形成し、位置をずらして湾曲部１Ａの外側に湾曲部１Ｂを形成するとともに、端部１ＭＣ側には、湾曲部１Ｃを形成し、位置をずらして湾曲部１Ｃの外側に湾曲部１Ｄを形成して、端部１ＭＣ側に線材Ｍの切り口を持つ内側の直線部１Ｅと、湾曲部１Ａと湾曲部１Ｃとの間の内側の直線部１Ｆ、そして湾曲部１Ｃと湾曲部１Ｂとの間の中側の直線部１Ｇ、さらに湾曲部１Ｂと湾曲部１Ｄとの間の外側の直線部１Ｈを形成して、端部１ＭＯ側に線材Ｍの切り口を持つ外側の直線部１Ｉを形成するように仕上げて、略矩形の端部１ＭＯ側と端部１ＭＣ側の、両端の各々に２つずつの湾曲部を形成する。【選択図】図１
0003212004.tif 000002
【実用新案登録請求の範囲】
【請求項１】
線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造を特徴とするゼムクリップ。
【請求項２】
線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造に仕上げて、一方の端部の湾曲部側から書類を押し込んで挟持することが出来ることと、そしてまた他の端部の湾曲部側からも、書類を押し込んで挟持することが出来るようにして、一旦把持した一方の端部を他の端部に把持し直すことなく、書類を挟持して綴じることが出来ることを特徴とする請求項１のゼムクリップ。
【考案の詳細な説明】
【技術分野】
【０００１】
本考案は、ゼムクリップの形状に関する。
【背景技術】
【０００２】
複数枚の書類などを挟持して綴じる器具としてはゼムクリップが有り、市販されている従来のゼムクリップは、図５（イ）（ロ）に示すように線材Ｍを所要の長さの直線部と湾曲部が連続して形成されるように平面状に折り曲げて、一方の端部の湾曲部５Ａとその外側に湾曲部５Ｂを位置をずらして形成するとともに、他の端部には湾曲部５Ｃを形成して、湾曲部５Ｃと湾曲部５Ａの間の内側の直線部５Ｅおよび湾曲部５Ｃと湾曲部５Ｂの間の外側の直線部５Ｆを形成し、そして湾曲部５Ｃ側に線材Ｍの切り口を持つ内側の直線部５Ｄと、同じく湾曲部５Ｃ側に線材Ｍの切り口をもつ外側の直線部５Ｇとからなる略矩形の形状に仕上げている。
【０００３】
図５に示す一般に市販されている従来のゼムクリップを使用して、複数枚の書類を綴じる場合は、図７に示すように、図５に示す扁平な状態にあるゼムクリップの５ＭＯ側を把持して、５ＭＣ側の湾曲部５Ａと湾曲部５Ｂとを、互いに反対方向に押し広げるようにして湾曲部５Ａと湾曲部５Ｂを開きながら複数枚の書類を押し込んで、書類の表と裏面を、直線部５Ｄ、５Ｅと直線部５Ｇ、５Ｆからなる図５（ロ）に示す挟持部５Ｈにより複数枚の書類を図６に示すように挟持する。
【０００４】
しかしながら、図５に示す一般に市販されている従来のゼムクリップは、図８に示すように偏平な状態にある端部５ＭＣ側を把持して、複数枚の書類を綴じようとする場合は、湾曲部５Ｃと、湾曲部５Ｃ側に線材Ｍの切り口を持つ内側の直線部５Ｄ及び同じく湾曲部５Ｃ側に線材Ｍの切り口を持つ外側の直線部５Ｇとを、互いに反対方向に押し広げるようにして湾曲部５Ｃを一方の方向に、そしてその反対方向に直線部５Ｄ及び直線部５Ｇを同時に押し広げながら複数枚の書類を押し込み挟持することとなるが、この作業は技術的な困難性を伴うので、一旦把持したゼムクリップの端部５ＭＣ側を、他の端部５ＭＯ側に把持し直して綴じ込み作業を行うこととなり、一般に市販されている従来のゼムクリップを使って、複数枚の書類を連続して綴じ込む作業は、一時的に作業が中断することも多くなり、作業効率の低下につながり、かつ、ストレスが伴うという欠点がある。
【先行技術文献】
【特許文献】
【０００５】
【特許文献１】実開平２−１２６８８６号公報
【特許文献２】実用新案登録第３１４７５６９号広報
【考案の概要】
【考案が解決しようとする課題】
【０００６】
先行技術文献１及び先行技術文献２では、ゼムクリップの形状について、種々の提案がある。しかしながら以上の技術によれば、ゼムクリップの一方の端部からは、複数の書類を挟持しにくいことから、一旦把持したゼムクリップの端部を、他の端部に把持し直さなければならないという点は解消されていない。
【０００７】
そこで本考案は、図５に示す一般に市販されている従来のゼムクリップが、図８に示すように偏平な状態にある端部５ＭＣ側を把持して、複数枚の書類を綴じようとする場合は湾曲部５Ｃと、湾曲部５Ｃ側に線材Ｍの切り口を持つ内側の直線部５Ｄ及び湾曲部５Ｃ側に線材Ｍの切り口を持つ外側の直線部５Ｇとを、互いに反対方向に押し広げるようにして、湾曲部５Ｃを一方の方向に、そしてその反対方向に直線部５Ｄ及び直線部５Ｇを、同時に押し広げながら複数枚の書類を押し込み挟持することとなるが、この作業は技術的な困難性を伴うので、一旦把持したゼムクリップの端部５ＭＣ側を、他の端部５ＭＯ側に把持し直すこととなり、作業が一時中断して、作業の能率が低下することになるという欠点を解消するために、ゼムクリップの一方の端部を把持しても、また他の端部を把持しても、一旦把持した一方の端部を他の端部に把持し直す必要が無く、使いやすいゼムクリップを提供することを課題とする。
【課題を解決するための手段】
【０００８】
以上の課題を解決するための、第一の考案は、線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造のゼムクリップである。
【０００９】
また、本考案の第二の考案は、線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造に仕上げて、一方の端部の湾曲部側から書類を押し込んで挟持することが出来ることと、そしてまた他の端部の湾曲部側からも、書類を押し込んで挟持することが出来るようにして、一旦把持した一方の端部を他の端部に把持し直すことなく、書類を挟持して綴じることが出来る構造のゼムクリップである。
【考案の効果】
【００１０】
本考案によれば、線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造のゼムクリップは、一方の端部の湾曲部側からと、他の端部の湾曲部側からも、複数枚の書類を押し込んで、その書類を挟持して綴じることが出来るという利点がある。
【００１１】
本考案によれば、線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造のゼムクリップは、一方の端部の湾曲部側からと、他の端部の湾曲部側からも、複数枚の書類を押し込んで、その書類を挟持して綴じることが出来るので、一旦把持したゼムクリップの端部を、他の端部に把持し直すことなく、すなわち、作業の一時的な中断が無く、作業の連続性が維持されて、能率向上が図れるという利点がある。
【図面の簡単な説明】
【００１２】
【図１】図１は本考案のゼムクリップの実施の一形態を示すもので、（イ）は平面図、（ロ）は（イ）のＡ-Ａ断面図である。
【図２】図２は本考案のゼムクリップの使用時の状態を示すもので、図１の１ＭＣ側から複数枚の書類を押し込んで、その書類Ｐを挟持した時の概略図である。
【図３】図３は本考案のゼムクリップの使用時の状態を示すもので、図１の１ＭＯ側から複数枚の書類を押し込んで、その書類Ｐを挟持した時の概略図である。
【図４】図４は本考案のゼムクリップの実施の他の形態を示すもので、（イ）は平面図、（ロ）は（イ）のＢ-Ｂ断面図である。
【図５】図５は一般に販売されている従来のゼムクリップを示すもので、（イ）は平面図、（ロ）は（イ）のＣ-Ｃ断面図である。
【図６】図６は図５に示す一般に販売されている従来のゼムクリップの５ＭＣ側から複数枚の書類を押し込んで、その書類Ｐを挟持した時の概略図である。
【図７】図７は図５に示す一般に販売されている従来のムクリップの５ＭＯ側を把持して５ＭＣ側から複数枚の書類を押し込んで、その書類を挟持しようとする時の状況を示す概略図である。
【図８】図８は図５に示す一般に販売されている従来のゼムクリップの５ＭＣ側を把持して５ＭＯ側から複数枚の書類を押し込んで、その書類を挟持しようとする場合に、その書類が押し込み難く、挟持し難い状況を示す概略図である。
【考案を実施するための形態】
【００１３】
以下図面に基ずき、本考案の実施の一形態を説明する
【００１４】
図１（イ）（ロ）は本考案の実施の一形態を示すもので、線材Ｍを所定の長さの直線部と湾曲部が連続して形成されるように平面状に折り曲げて、略矩形の形状を形成する端部１ＭＯ側に湾曲部１Ａを形成し、位置をずらして湾曲部１Ａの外側に湾曲部１Ｂを形成するとともに、端部１ＭＣ側には、湾曲部１Ｃを形成し、位置をずらして湾曲部１Ｃの外側に湾曲部１Ｄを形成して、端部１ＭＣ側に線材Ｍの切り口を持つ内側の直線部１Ｅと、湾曲部１Ａと湾曲部１Ｃとの間の内側の直線部１Ｆ、そして湾曲部１Ｃと湾曲部１Ｂとの間の中側の直線部１Ｇ、さらに湾曲部１Ｂと湾曲部１Ｄとの間の外側の直線部１Ｈを形成して、端部１ＭＯ側に線材Ｍの切り口を持つ外側の直線部１Ｉを形成するように仕上げて、略矩形の端部１ＭＯ側と端部１ＭＣ側の、両端の各々に２つずつの湾曲部を形成し、端部１ＭＣ側を把持して、端部１ＭＯ側の湾曲部１Ａと湾曲部１Ｂを互いに反対方向に押し広げて、複数枚の書類Ｐを湾曲部１Ａと湾曲部１Ｂの間に押し込んで挟持部１Ｊにより書類Ｐを挟持することが出来ると共に、端部１ＭＯ側を把持して、端部１ＭＣ側の湾曲部１Ｃと湾曲部１Ｄを互いに反対方向に押し広げて、複数枚の書類Ｐを湾曲部１Ｃと湾曲部１Ｄの間に押し込んで挟持部１Ｋにより書類Ｐを挟持することが出来るように、１Ｊと１Ｋの2つの挟持部を構成するゼムクリップ。
【００１５】
実施の一形態では、ゼムクリップの形状は略矩形を形成したものであるが、本案件の実施の他の形態ではゼムクリップの形状は矩形としても良い。
【００１６】
以下図面に基ずき、本考案の実施の他の形態を説明する
【００１７】
図４（イ）（ロ）は本考案の実施の他の形態を示すもので、線材Ｍを所定の長さの直線部と屈曲部が連続して形成されるように平面状に折り曲げて、矩形の形状を形成する端部４ＭＯ側に屈曲部４Ａを形成し、位置をずらして屈曲部４Ａの外側に屈曲部４Ｂを形成するとともに、端部４ＭＣ側には、屈湾曲部４Ｃを形成し、位置をずらして屈曲部４Ｃの外側に屈曲部４Ｄを形成して、端部４ＭＣ側に線材Ｍの切り口を持つ内側の直線部４Ｅと、屈曲部４Ａと屈曲部４Ｃとの間の内側の直線部４Ｆ、そして屈曲部４Ｃと屈曲部４Ｂとの間の直線部４Ｇ、さらに屈曲部４Ｂと屈曲部４Ｄとの間の外側の直線部４Ｈを形成して、端部４ＭＯ側に線材Ｍの切り口を持つ外側の直線部４Ｉを形成するように仕上げて、矩形の一方の端部４ＭＯ側と他の端部４ＭＣ側の、両端の各々に２つずつの屈曲部を形成し、端部４ＭＣ側を把持して、他の端部４ＭＯ側の屈曲部４Ａと屈曲部４Ｂを互いに反対方向に押し広げて、複数枚の書類Ｐを屈曲部４Ａと屈曲部４Ｂの間に押し込んで挟持部４Ｊにより書類Ｐを挟持することが出来ると共に、端部４ＭＯを把持して、端部４ＭＣ側の屈曲部４Ｃと屈曲部４Ｄを互いに反対方向に押し広げて、複数枚の書類Ｐを屈曲部４Ｃと屈曲部４Ｄの間に押し込んで挟持部４Ｋにより書類Ｐを挟持することが出来るように、４Ｊと４Ｋの2つの挟持部を構成するゼムクリップ。
【実施形態の効果】
【００１８】
本考案の、実施の一形態の効果として、線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造のゼムクリップは、一方の端部の湾曲部側からと、他の端部の湾曲部側からも、複数枚の書類を押し込んで、その書類を挟持して綴じることが出来るという利点がある。
【００１９】
また、本考案の、実施の一形態の効果として、線材を直線部と湾曲部を連続して形成されるように平面上に折り曲げて略矩形に仕上げる一方の端部に一つの湾曲部を形成して、その外側に位置をずらして二つ目の湾曲部を形成するとともに、他の端部にも、一つの湾曲部を形成して、同じくその外側に位置をずらして二つ目の湾曲部を形成することにより、略矩形の両端に２つずつの湾曲部を持つ構造のゼムクリップは、一方の端部の湾曲部側からと、他の端部の湾曲部側からも、複数枚の書類を押し込んで、その書類を挟持して綴じることが出来るので、一旦把持したゼムクリップの端部を、他の端部に把持し直すことなく、すなわち、作業の一時中断が無く、作業の連続性が維持されて能率向上が図れるという利点がある
【００２０】
本考案の、実施の他の形態の効果については、本考案の実施の一形態の効果と同一の利点にあるため説明は省略する。
【符号の説明】
【００２１】
１Ａ  この考案の実施の一形態のゼムクリップの一方の端部の内側の湾曲部
１Ｂ  この考案の実施の一形態のゼムクリップの一方の端部の外側の湾曲部
１Ｃ  この考案の実施の一形態のゼムクリップの他の端部の内側の湾曲部
１Ｄ  この考案の実施の一形態のゼムクリップの他の端部の外側の湾曲部
１Ｅ  この考案の実施の一形態のゼムクリップの線材の切り口を持つ内側の直線部
１Ｆ  この考案の実施の一形態のゼムクリップの内側の直線部
１Ｇ  この考案の実施の一形態のゼムクリップの中側の直線部
１Ｈ  この考案の実施の一形態のゼムクリップの外側の直線部
１Ｉ  この考案の実施の一形態のゼムクリップの線材の切り口を持つ外側の直線部
１ＭＯ  この考案の実施の一形態のゼムクリップの複数枚の書類を押し込んで挟持するための湾曲部１Ａと湾曲部１Ｂからなる湾曲部を形成する側
１ＭＣ  この考案の実施の一形態のゼムクリップの複数枚の書類を押し込んで挟持するための湾曲部１Ｃと湾曲部１Ｄからなる湾曲部を形成する側
１Ｊ  この考案の実施の一形態のゼムクリップの１ＭＯ側から複数枚の書類を押し込んで書類を挟持するための書類の挟持部
１Ｋ  この考案の実施の一形態のゼムクリップの１ＭＣ側から複数枚の書類を押し込んで書類を挟持するための書類の挟持部
４Ａ  この考案の他の実施形態のゼムクリップの一方の端部の内側の屈曲部
４Ｂ  この考案の他の実施形態のゼムクリップの一方の端部の外側の屈曲部
４Ｃ  この考案の他の実施形態のゼムクリップの他の端部の内側の屈曲部
４Ｄ  この考案の他の実施形態のゼムクリップの他の端部の外側の屈曲部
４Ｅ  この考案の他の実施形態のゼムクリップの線材の切り口を持つ内側の直線部
４Ｆ  この考案の他の実施形態のゼムクリップの内側の直線部
４Ｇ  この考案の他の実施形態のゼムクリップの中側の直線部
４Ｈ  この考案の他の実施形態のゼムクリップの外側の直線部
４Ｉ  この考案の他の実施形態のゼムクリップの線材の切り口を持つ外側の直線部
４ＭＯ  この考案の他の実施形態のゼムクリップの、複数枚の書類を押し込んで挟持するための屈曲部４Ａと屈曲部４Ｂからなる屈曲部を形成する側。
４ＭＣ  この考案の他の実施形態のゼムクリップの、複数枚の書類を押し込んで挟持するための屈曲部４Ｃと屈曲部４Ｄからなる屈曲部を形成する側。
４Ｊ  この考案の他の実施形態のゼムクリップの、４ＭＯ側から複数枚の書類を押し込んで挟持する時の書類の挟持部
４Ｋ  この考案の他の実施形態のゼムクリップの、４ＭＣ側から複数枚の書類を押し込んで挟持する時の書類の挟持部
５Ａ  従来のゼムクリップの一方の端部の内側の湾曲部
５Ｂ  従来のゼムクリップの一方の端部の外側の湾曲部
５Ｃ  従来のゼムクリップの他の端部の湾曲部
５Ｄ  従来のゼムクリップの５Ｃ側に線材の切り口を持つ内側の直線部
５Ｅ  従来のゼムクリップの内側の直線部
５Ｆ  従来のゼムクリップの外側の直線部
５Ｇ  従来のゼムクリップの５Ｃ側に線材の切り口を持つ外側の直線部
５ＭＣ  従来のゼムクリップの、複数枚の書類を押し込んでその書類を挟持するための湾曲部５Ａと湾曲部５Ｂを形成している側。
５ＭＯ  従来のゼムクリップの、湾曲部５Ｃと湾曲部５Ｃ側に線材の切り口を持つ内側の直線部５Ｄと、同じく湾曲部５Ｃ側に線材の切り口を持つ外側の直線部５Ｇを形成している側。
５Ｈ  従来のゼムクリップの５ＭＣ側から複数枚の書類を押し込んでその書類を挟持する時の書類の挟持部
Ｍ  線材
【図１】
0003212004.tif 000003
【図２】
0003212004.tif 000004
【図３】
0003212004.tif 000005
【図４】
0003212004.tif 000006
【図５】
0003212004.tif 000007
【図６】
0003212004.tif 000008
【図７】
0003212004.tif 000009
【図８】
0003212004.tif 000010